(57)【要約】【課題】短絡端子による電気的性能を保持することができるコネクタを提供する。【解決手段】複数の第１端子３を収容した第１ハウジング５と、複数の第２端子７を収容した第２ハウジング９と、第１ハウジング５に収容され隣り合う第１端子３，３とそれぞれ接触した接触片１１，１１を有する短絡端子１３と、第２ハウジング９に設けられ接触片１１を変位させて第１端子３と接触片１１との接触を解除する解除部１５とを備えたコネクタ１において、接触片１１が、接点部１７と、この接点部１７より嵌合方向前側に位置され解除部１５と摺動可能に設けられた摺動部１９とを有し、接点部１７を、摺動部１９が解除部１５と摺動して接触片１１が変位されたときに、解除部１５から離間して配置した。【選択図】図１
2018018733.tif 000002
【特許請求の範囲】
【請求項１】
複数の第１端子を収容した第１ハウジングと、前記第１端子に接続可能な複数の第２端子を収容して前記第１ハウジングに嵌合可能な第２ハウジングと、前記第１ハウジングに収容され隣り合う前記第１端子とそれぞれ接触した接触片を有する短絡端子と、前記第２ハウジングに設けられ前記接触片を変位させて前記第１端子と前記接触片との接触を解除する解除部とを備えたコネクタであって、
前記接触片は、前記第１端子と接触可能に設けられた接点部と、この接点部より前記第１ハウジングと前記第２ハウジングとの嵌合方向前側に位置され前記解除部と摺動可能に設けられた摺動部とを有し、
前記接点部は、前記摺動部が前記解除部と摺動して前記接触片が変位されたときに、前記解除部から離間して配置されていることを特徴とするコネクタ。
【請求項２】
請求項１記載のコネクタであって、
前記解除部には、前記第１ハウジングと前記第２ハウジングとが嵌合した状態で、前記接点部と前記第１端子との間に配置される絶縁部が設けられていることを特徴とするコネクタ。
【発明の詳細な説明】
【技術分野】
【０００１】
本発明は、コネクタに関する。詳細には、ハウジングに収容された複数の端子間を接続する短絡端子を有するコネクタに関する。
【背景技術】
【０００２】
従来、コネクタとしては、複数の第１端子としての雌端子を収容した第１ハウジングと、雌端子に接続可能な複数の第２端子としての雄端子を収容して第１ハウジングに嵌合可能な第２ハウジングと、第１ハウジングに収容され隣り合う雌端子とそれぞれ接触した接触片を有する短絡端子と、第２ハウジングに設けられ接触片を変位させて雌端子と接触片との接触を解除する解除部としての解除片とを備えたものが知られている（例えば、特許文献１参照）。
【０００３】
このコネクタでは、例えば、第１ハウジングに収容された複数の雌端子のうち隣り合う２つの雌端子がエアバックの作動を制御するエアバック回路に接続されている。
【０００４】
この隣り合う２つの雌端子は、第１ハウジングと第２ハウジングとが嵌合されていない状態で、第１ハウジングに収容された短絡端子の接触片と接触することにより、短絡端子を介して接続されている。
【０００５】
このように第１ハウジングと第２ハウジングとが嵌合していない状態で、短絡端子を介して２つの雌端子同士を接続することにより、２つの雌端子間に電位差を生じることがなく、エアバックの誤爆を防止している。
【０００６】
この２つの雌端子と短絡端子との接続は、第１ハウジングと第２ハウジングとを嵌合することにより、第２ハウジングの解除片によって短絡端子の接触片が変位されて雌端子と接触片との接触が解除され、２つの雌端子と短絡端子との接続が解除される。
【先行技術文献】
【特許文献】
【０００７】
【特許文献１】特開２００７−７３２６８号公報
【発明の概要】
【発明が解決しようとする課題】
【０００８】
ところで、上記特許文献１のようなコネクタでは、第２ハウジングの解除部によって短絡端子の接触片を変位させるときに、接触片に設けられた第１端子と接触可能な接点部が解除部と摺動することによって接触片を変位させている。
【０００９】
しかしながら、上記特許文献１のコネクタのように、接触片の接点部と解除部とを摺動させてしまうと、接点部に変形が生じたり、解除部に付着した絶縁物が接点部に付着する恐れがあった。
【００１０】
このような場合、第１ハウジングと第２ハウジングとの嵌合を解除し、接点部と第１端子とを接触させると、接点部と第１端子とが正常に接触しなかったり、接点部と第１端子との間に絶縁物が介在してしまい、短絡端子による電気的性能が低下する恐れがあった。
【００１１】
そこで、この発明は、短絡端子による電気的性能を保持することができるコネクタの提供を目的としている。
【課題を解決するための手段】
【００１２】
請求項１記載の発明は、複数の第１端子を収容した第１ハウジングと、前記第１端子に接続可能な複数の第２端子を収容して前記第１ハウジングに嵌合可能な第２ハウジングと、前記第１ハウジングに収容され隣り合う前記第１端子とそれぞれ接触した接触片を有する短絡端子と、前記第２ハウジングに設けられ前記接触片を変位させて前記第１端子と前記接触片との接触を解除する解除部とを備えたコネクタであって、前記接触片は、前記第１端子と接触可能に設けられた接点部と、この接点部より前記第１ハウジングと前記第２ハウジングとの嵌合方向前側に位置され前記解除部と摺動可能に設けられた摺動部とを有し、前記接点部は、前記摺動部が前記解除部と摺動して前記接触片が変位されたときに、前記解除部から離間して配置されていることを特徴とする。
【００１３】
このコネクタでは、接触片が、第１端子と接触可能に設けられた接点部と、この接点部より第１ハウジングと第２ハウジングとの嵌合方向前側に位置され解除部と摺動可能に設けられた摺動部とを有するので、第１ハウジングと第２ハウジングとが嵌合するときに、摺動部が解除部と摺動し、接点部が解除部と摺動することがなく、接点部の解除部との摺動による変形を防止することができる。
【００１４】
この接点部は、摺動部が解除部と摺動して接触片が変位されたときに、解除部から離間して配置されているので、第１ハウジングと第２ハウジングとが嵌合した状態で、接点部が解除部に接触することがなく、解除部に付着した絶縁物が接点部に付着することを防止することができる。
【００１５】
従って、このようなコネクタでは、第１ハウジングと第２ハウジングとの嵌合を解除した状態で、接点部と第１端子とを正常に接触させ、接点部と第１端子との間に絶縁物が介在することがなく、短絡端子による電気的性能を保持することができる。
【００１６】
請求項２記載の発明は、請求項１記載のコネクタであって、前記解除部には、前記第１ハウジングと前記第２ハウジングとが嵌合した状態で、前記接点部と前記第１端子との間に配置される絶縁部が設けられていることを特徴とする。
【００１７】
このコネクタでは、解除部に、第１ハウジングと第２ハウジングとが嵌合した状態で、接点部と第１端子との間に配置される絶縁部が設けられているので、接点部と第１端子との間の絶縁性を向上することができ、短絡端子と第１端子との導通を防止することができる。
【発明の効果】
【００１８】
本発明によれば、短絡端子による電気的性能を保持することができるコネクタを提供することができるという効果を奏する。
【図面の簡単な説明】
【００１９】
【図１】本発明の実施の形態に係るコネクタの断面図である。
【図２】本発明の実施の形態に係るコネクタの第１ハウジングの分解斜視図である。
【図３】本発明の実施の形態に係るコネクタの第１ハウジングの断面図である。
【図４】本発明の実施の形態に係るコネクタの第２ハウジングの分解斜視図である。
【図５】本発明の実施の形態に係るコネクタの第２ハウジングの斜視図である。
【図６】図５の要部拡大図である。
【図７】本発明の実施の形態に係るコネクタの第２ハウジングの断面図である。
【図８】（ａ）は本発明の実施の形態に係るコネクタの短絡端子の平面図である。（ｂ）は本発明の実施の形態に係るコネクタの短絡端子の側面図である。
【図９】本発明の実施の形態に係るコネクタの第１ハウジングと第２ハウジングとが嵌合するときの要部拡大断面図である。
【図１０】本発明の実施の形態に係るコネクタの第１ハウジングと第２ハウジングとが嵌合したときの要部拡大断面図である。
【発明を実施するための形態】
【００２０】
図１〜図１０を用いて本発明の実施の形態に係るコネクタについて説明する。
【００２１】
本実施の形態に係るコネクタ１は、複数の第１端子３を収容した第１ハウジング５と、第１端子３に接続可能な複数の第２端子７を収容して第１ハウジング５に嵌合可能な第２ハウジング９と、第１ハウジング５に収容され隣り合う第１端子３，３とそれぞれ接触した接触片１１，１１を有する短絡端子１３と、第２ハウジング９に設けられ接触片１１を変位させて第１端子３と接触片１１との接触を解除する解除部１５とを備えている。
【００２２】
また、接触片１１は、第１端子３と接触可能に設けられた接点部１７と、この接点部１７より第１ハウジング５と第２ハウジング９との嵌合方向前側に位置され解除部１５と摺動可能に設けられた摺動部１９とを有する。
【００２３】
そして、接点部１７は、摺動部１９が解除部１５と摺動して接触片１１が変位されたときに、解除部１５から離間して配置されている。
【００２４】
また、解除部１５には、第１ハウジング５と第２ハウジング９とが嵌合した状態で、接点部１７と第１端子３との間に配置される絶縁部２１が設けられている。
【００２５】
図１〜図１０に示すように、複数の第１端子３は、それぞれタブ状の接続部を有する雄型端子からなり、エアバックの作動を制御するエアバック回路に接続された複数の電線２３の端末部にそれぞれ電気的に接続されている。
【００２６】
この複数の第１端子３は、第１ハウジング５に形成された開口から第１ハウジング５に挿入され、第１ハウジング５内に収容される。
【００２７】
第１ハウジング５は、合成樹脂などの絶縁性材料からなり、第１端子３を挿入させる開口と反対側に内部に第２ハウジング９を嵌合可能な第１嵌合部２５が設けられ、この第１嵌合部２５の底部側に第１端子３を収容する複数の第１端子収容室２７が設けられている。
【００２８】
この第１ハウジング５の複数の第１端子収容室２７内には、それぞれ第１端子３を係止する第１係止ランス２９が撓み可能に設けられ、この複数の第１端子収容室２７に連通された孔部に第１スペーサ３１を挿入することにより複数の第１端子３が二重係止される。
【００２９】
このような第１ハウジング５内に収容された複数の第１端子３は、第１ハウジング５の第１嵌合部２５に第２ハウジング９が嵌合することにより、第２ハウジング９に収容された複数の第２端子７に接続される。
【００３０】
複数の第２端子７は、それぞれ第１端子３のタブ状の接続部を挿入可能な箱状の接続部を有する雌型端子からなり、電源や機器などに接続された複数の電線３３の端末部にそれぞれ電気的に接続されている。
【００３１】
この複数の第２端子７は、第２ハウジング９に形成された開口から第２ハウジング９に挿入され、第２ハウジング９内に収容される。
【００３２】
第２ハウジング９は、合成樹脂などの絶縁性材料からなり、第２端子７を挿入させる開口と反対側に第１ハウジング５の第１嵌合部２５内に挿入可能な第２嵌合部３５が設けられ、この第２嵌合部３５の内部に第２端子７を収容する複数の第２端子収容室３７が設けられている。
【００３３】
この第２ハウジング９の複数の第２端子収容室３７内には、それぞれ第２端子７を係止する第２係止ランス３９が撓み可能に設けられ、この複数の第２端子収容室３７に連通された孔部に第２スペーサ４１を挿入することにより複数の第２端子７が二重係止される。
【００３４】
ここで、第２ハウジング９の電線３３の引出部側の外周には、第２ハウジング９に撓み可能な係止部４３を介して仮係止位置（図７参照）にキャップハウジング４５が組付けられている。
【００３５】
このキャップハウジング４５は、第１ハウジング５と第２ハウジング９とが半嵌合である場合、仮係止位置から移行することができず、第１ハウジング５と第２ハウジング９とが嵌合した場合、係止部４３の係止位置が移行し、本係止位置（図１参照）に移行する。
【００３６】
このようなキャップハウジング４３の仮係止位置と本係止位置との移行により、第１ハウジング５と第２ハウジング９との嵌合状態を検知することができる。
【００３７】
このような第２ハウジング９は、第２嵌合部３５が第１ハウジング５の第１嵌合部２５と嵌合することにより、第１ハウジング５に収容された第１端子３と第２ハウジング９に収容された第２端子７とが電気的に接続される。
【００３８】
ここで、メンテナンスなどによって、第１ハウジング５と第２ハウジング９との嵌合を解除した状態では、エアバック回路に接続された第１ハウジング５に収容された複数の第１端子３の間に、静電気などによって電位差が生じるとエアバックが誤爆する恐れがあった。
【００３９】
そこで、複数の第１端子３の間に電位差を生じなくさせるために、複数の第１端子３のうち隣り合う２つの第１端子３，３を電気的に接続する複数の短絡端子１３が第１ハウジング５に収容されている。
【００４０】
複数の短絡端子１３は、それぞれプレス加工や折り曲げ加工を施された１枚の導電性材料からなり、端部に弾性変形可能な２つの接触片１１，１１を有している。
【００４１】
この接触片１１は、上下方向に弾性変形可能に設けられ、自由端側に、第１ハウジング５内に収容された状態で第１端子３に向けて突出された接点部１７が設けられている。
【００４２】
この接点部１７は、隣り合う２つの第１端子３，３の外周面に接触片１１の所定の付勢力によって接触され、隣り合う２つの第１端子３，３が短絡端子１３を介して電気的に接続された状態となる。
【００４３】
このように短絡端子１３を介して２つの第１端子３，３の間を電気的に接続することにより、２つの第１端子３，３の間に電位差が生じることがなく、エアバックの誤爆を防止することができる。
【００４４】
このような接点部１７より第１ハウジング５と第２ハウジング９との嵌合方向前側である接触片１１の自由端には、第１端子３側に向けて突出された摺動部１９が設けられている。
【００４５】
この摺動部１９は、第１ハウジング５と第２ハウジング９とが嵌合するときに、第２ハウジング９に設けられた解除部１５と摺動して接触片１１を変位させ、第１ハウジング５と第２ハウジング９とが嵌合した状態で、解除部１５との当接が保持されて接触片１１の変位が保持され、接点部１７と第１端子３との接触を解除させる。
【００４６】
解除部１５は、第２ハウジング９の第１ハウジング５との嵌合方向前側に配置されると共に、第２ハウジング９が第１ハウジング５と嵌合するときに第１ハウジング５に収容された複数の短絡端子１３の接触片１１の摺動部１９と当接可能な位置に配置され、第２ハウジング９と連続する一部材で複数形成されている。
【００４７】
この解除部１５は、第１ハウジング５側に、第１ハウジング５側から第２ハウジング９側に向けて上り傾斜となる傾斜面を有しており、この傾斜面は、短絡端子１３の２つの接触片１１，１１の摺動部１９，１９と当接可能な幅を有している。
【００４８】
このような解除部１５は、第１ハウジング５と第２ハウジング９とが嵌合するときに、傾斜面の下端が短絡端子１３の接触片１１の摺動部１９と当接し、第１ハウジング５と第２ハウジング９との嵌合が進むと、摺動部１９が傾斜面に沿って摺動し、接触片１１が上方に向けて変位される。
【００４９】
この解除部１５による接触片１１の変位により、接触片１１の接点部１７と第１端子３との接触が解除され、隣り合う第１端子３，３の間の電気的な接続が解除され、第１ハウジング５と第２ハウジング９とが嵌合すると、第１端子３と第２端子７とが電気的に接続される。
【００５０】
この第１ハウジング５と第２ハウジング９との嵌合状態、すなわち第１端子３と第２端子７とが電気的に接続された状態では、接触片１１の摺動部１９が、解除部１５の傾斜面の上端側に設けられた平面に当接されて接触片１１の変位された状態が保持され、接点部１７と第１端子３とが接触することがなく、短絡端子１３と第１端子３とが電気的に接続されることがない。
【００５１】
このような接触片１１の摺動部１９と解除部１５との摺動及び当接による接触片１１の変位において、接点部１７は、第１端子３との接触が解除された状態から第１端子３と第２端子７とが接続されるまでの間に、解除部１５と摺動及び当接しないように、解除部１５から離間して配置されている。
【００５２】
このように接点部１７を配置することにより、解除部１５との摺動による接点部１７の変形を防止することができ、第１ハウジング５と第２ハウジング９との嵌合を解除した状態で、接点部１７と第１端子３とを正常に接触させることができ、短絡端子１３と第１端子３との接続信頼性を保持することができる。
【００５３】
加えて、解除部１５に絶縁物が付着していても、接点部１７と解除部１５とが摺動及び当接することがないので、接点部１７に絶縁物が付着することがなく、接点部１７と第１端子３との間に絶縁物が介在することを防止でき、短絡端子１３と第１端子３との接続信頼性を保持することができる。
【００５４】
ここで、解除部１５には、傾斜面の下端から第１ハウジング５側に向けて第２ハウジング９と連続する一部材で絶縁部２１が延設されている。
【００５５】
この絶縁部２１は、第１ハウジング５と第２ハウジング９とが嵌合した状態で、接点部１７と離間しつつ、接点部１７と第１端子３との間に配置される。
【００５６】
このように第１ハウジング５と第２ハウジング９とが嵌合した状態で、接点部１７と第１端子３との間に絶縁部２１を配置させることにより、接点部１７と第１端子３との間の絶縁性を向上することができ、短絡端子１３と第１端子３との導通を防止することができる。
【００５７】
このようなコネクタ１では、接触片１１が、第１端子３と接触可能に設けられた接点部１７と、この接点部１７より第１ハウジング５と第２ハウジング９との嵌合方向前側に位置され解除部１５と摺動可能に設けられた摺動部１９とを有するので、第１ハウジング５と第２ハウジング９とが嵌合するときに、摺動部１９が解除部１５と摺動し、接点部１７が解除部１５と摺動することがなく、接点部１７の解除部１５との摺動による変形を防止することができる。
【００５８】
この接点部１７は、摺動部１９が解除部１５と摺動して接触片１１が変位されたときに、解除部１５から離間して配置されているので、第１ハウジング５と第２ハウジング９とが嵌合した状態で、接点部１７が解除部１５に接触することがなく、解除部１５に付着した絶縁物が接点部１７に付着することを防止することができる。
【００５９】
従って、このようなコネクタ１では、第１ハウジング５と第２ハウジング９との嵌合を解除した状態で、接点部１７と第１端子３とを正常に接触させ、接点部１７と第１端子３との間に絶縁物が介在することがなく、短絡端子１３による電気的性能を保持することができる。
【００６０】
また、解除部１５には、第１ハウジング５と第２ハウジング９とが嵌合した状態で、接点部１７と第１端子３との間に配置される絶縁部２１が設けられているので、接点部１７と第１端子３との間の絶縁性を向上することができ、短絡端子１３と第１端子３との導通を防止することができる。
【００６１】
なお、本発明の実施の形態に係るコネクタでは、摺動部が接触片の自由端を突出させて設けられているが、これに限らず、例えば、接触片の自由端に耐摩耗性などを有する摺動部材を一体に設けて摺動部としてもよい。
【００６２】
この場合には、摺動部と解除部との摺動による接触片の変形を防止することができ、接触片の弾性変形力を保持し、短絡端子と第１端子との接続信頼性を保持することができる。
【符号の説明】
【００６３】
１…コネクタ
３…第１端子
５…第１ハウジング
７…第２端子
９…第２ハウジング
１１…接触片
１３…短絡端子
１５…解除部
１７…接点部
１９…摺動部
２１…絶縁部
【図１】
2018018733.tif 000003
【図２】
2018018733.tif 000004
【図３】
2018018733.tif 000005
【図４】
2018018733.tif 000006
【図５】
2018018733.tif 000007
【図６】
2018018733.tif 000008
【図７】
2018018733.tif 000009
【図８】
2018018733.tif 000010
【図９】
2018018733.tif 000011
【図１０】
2018018733.tif 000012